(57)【要約】【目的】施錠装置に対する不正行為の防止効果が高く、その組立が容易で製造コストの低減を図ることができる施錠装置を備えた遊技機を提供する。【構成】施錠装置１２８の解錠操作を行う際に回動するカム部材２５０と、係止片２４０に係止される複数の係止部２３４ａ，２３４ｂが一体的に形成されると共に凸部２５１が係合する開口部２３７が形成された連動部材２３０と、係止部２３４ａ，２３４ｂが係止片２４０に係止される方向に連動部材２３０を付勢する縦スプリング２４１ａ，２４１ｂと、凸部２５１が開口部２３７に係合する方向に連動部材２３０を付勢する横スプリング２４４と、を備えることにより、施錠装置１２８の組み立てを容易に行うことができる。また、開口部２３７と凸部２５１が係合した状態では、カム部材２５０を回動しなければ連動部材２３０を摺動させることができないため、施錠装置１２８に対する不正行為を防止することができる。【選択図】        図５
2004267590.tif 000002
【特許請求の範囲】
【請求項１】
外枠の一側に開閉自在に軸支される枠基体を前記外枠に対して施錠し且つ前記枠基体の前面上部に開閉自在に軸支される透明板保持枠を前記枠基体に対して施錠する施錠装置を備えた遊技機において、
前記施錠装置は、該施錠装置の解錠操作を行う際に回動するカム部材と、
前記枠基体及び透明板保持枠を施錠する際に前記外枠に備えられた係止片に係止される複数の係止部が一体的に形成されると共に前記カム部材に形成された凸部が係合する開口部が形成された連動部材と、
前記係止部が前記係止片に係止される方向に前記連動部材を付勢する第１の弾性部材と、
前記凸部が前記開口部に係合する方向に前記連動部材を付勢する第２の弾性部材と、を備え、
前記開口部と前記凸部が係合した状態では、前記連動部材の摺動が前記カム部材によって阻止される状態となることにより、前記カム部材を前記解錠操作により回動しなければ前記係止部を前記係止片から解除する方向に前記連動部材を摺動させることができず、
前記開口部と前記凸部が係合していない状態では、前記連動部材の摺動が前記カム部材によって阻止される状態が解除されることにより、前記係止部を前記係止片から解除する方向に前記連動部材を摺動させることができることを特徴とする遊技機。
【請求項２】
前記連動部材には、該連動部材を前記係止部の突設方向に対して垂直方向に移動させやすくするためのレバー片が、前記係止部の突設方向と同方向に突設されていることを特徴とする請求項１記載の遊技機。
【請求項３】
前記連動部材には、該連動部材を前記係止部の突設方向に対して垂直方向に移動させやすくするためのガイド片が、前記係止部の突設方向に対して垂直方向に突設されていることを特徴とする請求項１又は請求項２記載の遊技機。
【発明の詳細な説明】
【０００１】
【発明の属する技術分野】
本発明は、外枠の一側に開閉自在に軸支される枠基体を前記外枠に対して施錠し且つ前記枠基体の前面上部に開閉自在に軸支される透明板保持枠を前記枠基体に対して施錠する施錠装置を備えた遊技機に関するものである。
【０００２】
【従来の技術】
弾球遊技機においては、弾球遊技機の外枠に開閉可能に支持された前枠や、この前枠に開閉可能に支持されたガラス枠を閉塞した際に施錠するための施錠装置が備えられている。この施錠装置には、複数の鉤部材が備えられており、外枠に設けられた受け金具にこの鉤部材が係止されることにより前枠及びガラス枠が施錠されるようになっている。このような施錠装置においては、従来、複数備えられた鉤部材が別個の部品として形成されており、この鉤部材は、連結杆によって連結され、解錠操作によって鉤部材が受け金具から離脱して施錠が解除されるようになっていた（例えば、特許文献１）。
【０００３】
【特許文献１】
特開２００２−３０１２５１公報（第５頁、図４）
【０００４】
【発明が解決しようとする課題】
ところが、上記した特許文献１に係る遊技機の場合、施錠装置に対する不正行為の防止には効果があるものの、複数備えられる鉤部材が別個の部品として形成されているものであるため、部品点数の増加によって施錠装置の組立が困難になり、また、部品点数の増加に伴い製造コストが上昇するという問題があった。本発明は、上記した事情に鑑みなされたもので、その目的とするところは、施錠装置に対する不正行為の防止効果が高く、その組立が容易で製造コストの低減を図ることができる施錠装置を備えた遊技機を提供することにある。
【０００５】
【課題を解決するための手段】
上記目的を達成するために、請求項１の発明においては、外枠の一側に開閉自在に軸支される枠基体を前記外枠に対して施錠し且つ前記枠基体の前面上部に開閉自在に軸支される透明板保持枠を前記枠基体に対して施錠する施錠装置を備えた遊技機において、前記施錠装置は、該施錠装置の解錠操作を行う際に回動するカム部材と、前記枠基体及び透明板保持枠を施錠する際に前記外枠に備えられた係止片に係止される複数の係止部が一体的に形成されると共に前記カム部材に形成された凸部が係合する開口部が形成された連動部材と、前記係止部が前記係止片に係止される方向に前記連動部材を付勢する第１の弾性部材と、前記凸部が前記開口部に係合する方向に前記連動部材を付勢する第２の弾性部材と、を備え、前記開口部と前記凸部が係合した状態では、前記連動部材の摺動が前記カム部材によって阻止される状態となることにより、前記カム部材を前記解錠操作により回動しなければ前記係止部を前記係止片から解除する方向に前記連動部材を摺動させることができず、前記開口部と前記凸部が係合していない状態では、前記連動部材の摺動が前記カム部材によって阻止される状態が解除されることにより、前記係止部を前記係止片から解除する方向に前記連動部材を摺動させることができることを特徴とする。このように構成することにより、複数設けられる係止部が一体的に形成されるため、施錠装置の組み立てを容易に行うことができると共に、施錠装置の製造コストの低減を図ることができる。また、カム部材の凸部が連動部材の開口部に係合された状態では、カム部材が回動しない限り連動部材が摺動できず、係止部が係止片から外すことができないため、施錠装置に対する不正行為を防止することができる。更に、カム部材の凸部が連動部材の開口部に係合されていない状態では、施錠装置の鍵がなくても解錠操作を行うことができる。
【０００６】
また、請求項２の発明においては、前記連動部材には、該連動部材を前記係止部の突設方向に対して垂直方向に移動させやすくするためのレバー片が、前記係止部の突設方向と同方向に突設されていることを特徴とする。このように構成することにより、連動部材の開口部とカム部材の凸部との係合やその解除を容易に行うことができる。
【０００７】
更に、請求項３の発明においては、前記連動部材には、該連動部材を前記係止部の突設方向に対して垂直方向に移動させやすくするためのガイド片が、前記係止部の突設方向に対して垂直方向に突設されていることを特徴とする。このように構成することにより、連動部材の開口部とカム部材の凸部との係合やその解除を容易に行うことができる。
【０００８】
【発明の実施の形態】
以下、図面を参照して、本発明の実施形態について説明する。なお、以下の説明においては、弾球遊技機１の遊技者側を表，表面，前面，前方で表わし、弾球遊技機１を挟んで遊技者と反対側を裏，裏面，後面，後方，奥，背面で示す。まず、図１乃至図４を参照して実施形態に係る弾球遊技機１の全体の構成について説明する。図１は、本実施形態に係る弾球遊技機１の正面図であり、図２は、遊技盤４０の正面図であり、図３は、弾球遊技機１の背面図であり、図４は、主基板１２０と各種制御基板及び電気部品との関係を示すブロック図である。
【０００９】
弾球遊技機１は、図１及び図２に示すように、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられる透明板保持枠４と、枠基体３の前面下部に開閉自在に設けられる上皿開閉枠１１と、から構成されている。また、枠基体３に設けられる主要構成部としては、上記した透明板保持枠４、遊技盤４０、下皿２７、灰皿ユニット２９、操作ハンドル３０、機構板１４０、打球発射装置１３０がある。また、図示の実施形態では、弾球遊技機１の側方に遊技者に遊技球を貸し出す（球貸しする）ためのカードユニット装置３１が付設されている。
【００１０】
透明板保持枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５及び複層ガラス板は、いずれも縦長な円形状に形成されるものである。透明板保持枠４の周縁には、後方に向かって補強周枠リブ（図示しない）が立設され、透明板保持枠４の強度の向上を図っている。また、透明板保持枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃ及び遊技効果ランプ１４ｂ，１４ｄが臨むように透明板保持枠４の前面側に備えられ、左装飾ユニット２３及び右装飾ユニット２４の内部に、それぞれ発光部材としての遊技効果ランプ１６ａ，１６ｂ及び遊技効果ランプ１７ａ，１７ｂが臨むように透明板保持枠４の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技状態に応じて点灯又は点滅されるものであり、特別の遊技状態の発生時や継続時を遊技者に報知すると共に遊技の雰囲気を盛り上げるものである。
【００１１】
また、上部装飾ユニット２２の左右に、遊技の進行に応じた効果音（音声なども含む）を発生するスピーカ１２ａ，１２ｂが透明板保持枠４に設けられている。なお、スピーカ１２ａ，１２ｂは、遊技球の貸出異常が生じたとき、あるいは遊技球の貸出時（例えば、１００円相当の遊技球が払い出される毎）に、その旨を報知する報知音も発生するようにしてもよい。また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が透明板保持枠４に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が透明板保持枠４に設けられている。この賞球ＬＥＤ１０及び球切れＬＥＤ９は、弾球遊技機１において行なわれる遊技演出とは別に遊技に関する情報に関連して発光する遊技関連情報発光部材であり、遊技効果ＬＥＤや遊技効果ランプとは別に設けられるものである。また、左装飾ユニット２３及び右装飾ユニット２４のそれぞれ左側及び右側には、装飾するための前面装飾部６が設けられている。更に、下部装飾ユニット２５の両側方には、遊技盤４０に貼付される証紙を視認するための透視窓１８が設けられている。
【００１２】
上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０は、それぞれプリント配線基板で構成されるＬＥＤ基板１９０、ＬＥＤランプ基板１９１，１９２、ランプ基板１９３〜１９６、球切れＬＥＤ基板１９７、賞球ＬＥＤ基板１９８に実装されて枠基体３の前面側に取り付けられている。なお、遊技効果ＬＥＤ１３，１４ａ，１４ｃ、遊技効果ランプ１６ａ，１６ｂ，１７ａ，１７ｂ、球切れＬＥＤ９、賞球ＬＥＤ１０は、各プリント基板にそれぞれ複数個ずつ実装され、遊技効果ランプ１４ｂ，１４ｄは、各プリント基板にそれぞれ１個ずつ実装されている。そして、図４に示すように、各基板１９０〜１９８及びスピーカ１２ａ，１２ｂは、保持枠中継基板１００に接続され、この保持枠中継基板１００は、枠基体３の裏面下部に取り付けられる中継基板取付台２０１に止着される枠基体中継基板９９に接続された後、後述する電飾制御基板９２に接続されている。電飾制御基板９２は、後述する主基板１２０（遊技制御基板）から表示制御基板９０を経由して送信される情報信号の種類に応じて上記した遊技効果ＬＥＤ１３，１４ａ，１４ｃ、遊技効果ランプ１４ｂ，１４ｄ，１６ａ，１６ｂ，１７ａ，１７ｂ、球切れＬＥＤ９、賞球ＬＥＤ１０の表示制御及びスピーカ１２ａ，１２ｂの駆動制御をするものである。なお、保持枠中継基板１００は、透明板保持枠４の裏面上部に取り付けられている。
【００１３】
また、枠基体３には、透明板保持枠４と枠基体３とが開放したことを検出するための保持枠開放スイッチ１１１（図４に符号のみ記載：図中、第１ドア開放スイッチと記載）及び枠基体３と外枠２とが開放したことを検出するための枠基体開放スイッチ１１２（図４に符号のみ記載：図中、第１ドア開放スイッチと記載）が設けられており、枠基体中継基板９９を介して枠用外部端子基板１０２に接続されている。このように、保持枠開放スイッチ１１１及び枠基体開放スイッチ１１２が備えられているため、外枠２，枠基体３及び透明板保持枠４の開放状態を外部装置等によって確認することができる。なお、この保持枠開放スイッチ１１１及び枠基体開放スイッチ１１２の配線は、枠基体中継基板９９に接続された後、電飾制御基板９２に接続され、表示制御基板９０を経由して主基板１２０に接続するようにし、そして、主基板１２０からの情報信号に基づいて電飾制御基板９２によって一部又は全部のＬＥＤあるいはランプ９，１０，１３，１４ａ〜１４ｄ，１６ａ，１６ｂ，１７ａ，１７ｂを点灯制御することにより枠基体３あるいは透明板保持枠４が開放されたことを報知するようにしてもよい。
【００１４】
次に、透明板保持枠４の透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、球抜き操作レバー２１が設けられている。この球抜き操作レバー２１は、左右方向に移動可能に設けられ、後述するスプリング（図示しない）の付勢力に抗して一方向に移動させることにより、上皿１９に貯留されていた球を裏面側に形成される球抜き路（図示しない）及び球抜き（図示しない）を流下させて下皿２７に誘導するものである。
【００１５】
上記した上皿１９について、さらに詳細に説明すると、上皿１９は、その上流側に形成される賞球払出口２０から払い出された賞球を貯留し、且つ発射位置に球を供給するものである。また、上皿１９には、弾球遊技機１に隣接して設けられるカードユニット装置３１を介して遊技球を借り受ける際に操作する操作部（残高表示部）が設けられている。この操作部は、球貸スイッチ３６，返却スイッチ３７，度数表示ＬＥＤ１０５及び球貸表示ＬＥＤ１０６（いずれも図４に符号のみ記載）が実装される残高表示基板１０４（図４に符号のみ記載）からなり、該残高表示基板１０４が上皿１９の上面に臨むように設けられている。なお、度数表示ＬＥＤ１０５は、カード残高を７セグメントＬＥＤで表示するＬＥＤであり、球貸表示ＬＥＤ１０６は、球貸しが可能か否かを表すＬＥＤである。球貸スイッチ３６は、カードユニット装置３１によって遊技球を借り受ける際に操作（球貸し操作）するものであり、返却スイッチ３７は、遊技終了の際にカードユニット装置３１のカード挿入口（図示しない）に差し込まれたカードを返却するためのものである。なお、上皿１９に設けられて上記した球貸スイッチ３６，返却スイッチ３７，度数表示ＬＥＤ１０５及び球貸表示ＬＥＤ１０６が実装される残高表示基板１０４から延びる上皿配線は、枠基体３の軸支側の下部に形成される配線通し開口（図示しない）から枠基体３の裏側に引き出され、機構板１４０の裏面下部に取り付けられるインターフェイス基板１０３を経由して後述する払出制御基板９８に接続されている。また、上皿１９の右側方には、透明板保持枠４を枠基体３に対して施錠し且つ枠基体３を外枠２に対して施錠する施錠装置１２８を操作するためのシリンダー錠２６が臨んでいる。
【００１６】
また、枠基体３の下部に取り付けられる下皿２７は、前記上皿１９から溢れた賞球であって機構板１４０の裏面下部に形成される余剰球通路（図示しない）及び接続樋２０２を介して排出される余剰球を貯留する余剰球貯留皿（余剰球受皿）であり、その下皿２７の下方には、球抜き操作レバー２８がスライド可能に取付けられるようになっている。この球抜き操作レバー２８を操作することにより、下皿２７に貯留されていた球（賞球）を下方に球抜きして持ち運び可能な球箱に移し替えることができる。また、下皿２７の左側には、灰皿ユニット２９が設けられ、右側には、操作ハンドル３０が設けられている。操作ハンドル３０は、図３に示す打球発射装置１３０のステッピングモータ６０１（図４に符号のみ記載：図中、発射モータと記載）の駆動を停止させるための単発発射スイッチ１０９（ストップスイッチ：図４に符号のみ記載）及びタッチリング１１０（タッチセンサ：図４に符号のみ記載）に接続されるタッチ配線（図示しない）が組み付けられていると共に、弾発力を調節するものである。なお、タッチ配線は、単発発射スイッチ１０９からの配線と共に束ねられる。
【００１７】
弾球遊技機１の正面構造は、概ね上記した通りであるが、図示の実施形態では、図３に示すように、弾球遊技機１にカードユニット装置３１が隣接されている。このカードユニット装置３１は、前記上皿１９の上面に設けられる前述した球貸スイッチ３６や返却スイッチ３７等の操作部を操作することにより作動されるものである。しかして、カードユニット装置３１の表面側には、使用可能状態であるか否かを表示する使用可能表示器（図示しない）と、当該カードユニット装置３１がいずれの側の弾球遊技機１に対応しているか否かを表示する連結台方向表示器（図示しない）と、記録媒体としての磁気カードを挿入するカード挿入口（図示しない）とが設けられている。そして、このように構成されるカードユニット装置３１は、独自の制御回路によって制御されるものであるが、後述するインターフェイス基板１０３とカードユニット配線３５を介して接続され、このカードユニット配線３５からインターフェイス基板１０３を経由して後述する払出制御基板９８に接続されている（図３参照）。なお、カードユニット装置３１を弾球遊技機１に内蔵しても良いし、カードユニット装置３１を付設せず、カードによる球貸し機能を有しない弾球遊技機でもよい。また、本実施形態においては、遊技者に遊技球を貸し出す（球貸しする）ためのユニット装置としてカードユニット装置３１を例示したが、例えば、紙幣等を挿入し得るユニット装置であっても良い。
【００１８】
一方、弾球遊技機１の背面には、図３に示すように、入賞球の発生に基づいて所定個数の賞球を払い出すための各種の機構を装備した機構板１４０が設けられると共に、前記操作ハンドル３０に対応する裏面には、ステッピングモータ６０１及び打球槌（図示しない）を有する打球発射装置１３０が固着され、その打球発射装置１３０の側方には、機構板１４０の余剰球通路（図示しない）を流下する賞球を前記下皿２７に誘導する接続樋（図示しない）が固着されている。更に、接続樋２０２の側方に中継基板取付台２０１が取り付けられ、外枠２に対する枠基体３の開放側裏面には、外枠２の係止片２４０に対する枠基体３の施錠及び枠基体３に対する透明板保持枠４の施錠を行う施錠装置１２８が設けられている。
【００１９】
上記した構成のうち、打球発射装置１３０には、発射制御基板１０７（図４に符号のみ記載）が付設されており、この発射制御基板１０７によって打球発射装置１３０が駆動制御されるようになっている。発射制御基板１０７は、基板ボックス２０３内に収容されると共に、枠基体中継基板９９を介して払出制御基板９８と接続されており（図４参照）、所定の状態（例えば、カードユニット未接続、それだけでもよいが、他に下皿満タン、球切れ時などのとき）となったときに払出制御基板９８から停止信号をうけて打球の発射を行えないようになっている。
【００２０】
以上で、弾球遊技機１の全体の概略構成を説明したが、以下、弾球遊技機１を構成する要素のうち、遊技盤４０と、機構板１４０の詳細な構成について順次説明する。まず、図２を参照して遊技盤４０について説明する。
【００２１】
遊技盤４０は、枠基体３の裏面側に一体的に形成される遊技盤収納枠部３９３（図示しない）に収容固定されるべく、ほぼ正方形状の合板により形成され、その表面には、円形うず巻き状に誘導レール４２が取り付けられ、該誘導レール４２の内側が縦長の円形状に形成された遊技領域４１とされて発射された打球が落下するものである。遊技領域４１には、図示の場合、特別可変表示装置４４、特別可変入賞球装置４８、普通可変入賞球装置５８、普通可変表示装置６３等が設けられると共に、単に打球を入賞とする入賞口、打球の流下方向，速度を変化せしめる風車又は多数の障害釘が設けられ、また、遊技領域４１の最下方には、いずれの入賞領域にも入賞しない打球が取り込まれるアウト口６９が設けられている。
【００２２】
遊技領域４１の構成をその遊技動作に従ってより詳細に説明すると、可変表示装置４４の下方に普通可変入賞球装置５８が設けられると共に、可変表示装置４４の両側方には、それぞれ通過球検出器６２ａ，６２ｂを内蔵する通過口６１ａ，６１ｂが設けられている。この通過球検出器６２ａ，６２ｂは、遊技領域４１を落下する打球の通過を検出すると、その検出信号に基づいて特別可変入賞球装置４８の右側方に設けられる上下一対のＬＥＤからなる普通図柄表示器６３を可変表示（点灯移動）して表示結果を導出する（上下いずれか一方のＬＥＤのみを点灯表示する）。しかして、普通図柄表示器６３の表示結果が予め定められた当りＬＥＤの点灯（図示の場合は、上方のＬＥＤ）である場合に、普通可変入賞球装置５８が所定時間開放される。なお、普通図柄表示器６３の可変時間は、後述する非特別遊技状態のときに相対的に長く（例えば、３０秒）、後述する特別遊技状態のときに相対的に短く（例えば、３〜５秒）設定されている。また、特別可変入賞球装置４８の左側方には、普通図柄表示器６３の可変表示中に通過球検出器６２ａ，６２ｂを通過した打球数を記憶表示する普通図柄始動記憶ＬＥＤ６４（最高４個まで記憶表示する）が設けられている。
【００２３】
普通可変入賞球装置５８は、遊技領域４１のほぼ中央に配置される可変表示装置４４と遊技領域４１の前記アウト口６９の上部に配置される特別可変入賞球装置４８との間に配置され、ソレノイド５９（図４に符号のみを記載）によって開閉駆動される電動チューリップタイプの可変入賞球装置である。そして、普通可変入賞球装置５８には、始動球検出器６０が内蔵され、開放中又は閉成中に受け入れた入賞球を検出するようになっている。しかして、打球が始動球検出器６０によって検出されると可変表示装置４４が可変表示を開始する。なお、普通可変入賞球装置５８の開放時間は、非特別遊技状態のときに相対的に短く（例えば、０．５秒）、特別遊技状態のときに相対的に長く（例えば、２秒）設定されている。また、普通可変入賞球装置５８が開放していない場合でも打球を受け入れるようになっている。
【００２４】
可変表示装置４４は、図２に示すように、識別情報を可変表示する表示部２２３を有した液晶タイプの表示器であり、この表示部２２３は、左・中・右の３つの表示領域に識別情報が表示制御されるものである。
【００２５】
上記した表示部２２３の前方外周には、表示部２２３の外周部分を装飾するための装飾部材６６が設けられている。そして、可変表示装置４４の変動停止時における図柄の組合せが予め定めた大当り図柄の組合せ（例えば、同一の図柄が当りラインのいずれかに揃った場合）である特定表示結果となった場合に、特定遊技状態となって特別可変入賞球装置４８を次に説明する所定の態様で開閉駆動するものである。ただし、特定表示結果の一部は、特別表示結果として設定され、この特別表示結果で特定遊技状態となったときには、その特定遊技状態終了後における前記普通図柄表示器６３における当り（当りＬＥＤの点灯）の出現確率や可変表示装置４４における大当り図柄の出現確率が高くなる遊技者に有利な特別遊技状態となるように設定されている。これに対し、特別表示結果以外の特定表示結果は、特別遊技状態よりも遊技者に不利な非特別遊技状態となる非特別表示結果として設定されている。また、可変表示装置４４の上方右側には、可変表示装置４４の可変動作中に前記始動球検出器６０によって検出された球数を記憶表示する特別図柄始動記憶ＬＥＤ４６（最高４個まで記憶表示する）と、が設けられている。なお、可変表示装置４４は、液晶タイプのものに限らず、ＣＲＴ，ドットマトリクス，ＬＥＤ，７セグメント，ドラム等により構成されるものであっても良い。また、装飾部材６６の構成については後に詳述するものである。
【００２６】
特定遊技状態となったときに駆動制御される特別可変入賞球装置４８は、ソレノイド６５（図４に符号のみを記載）によって開閉駆動される開閉板４９を有し、その開閉板４９に受け入れられた打球を検出する入賞個数検出器５２（図４に符号のみを記載）が設けられている。また、特別可変入賞球装置４８内（開閉板４９の内側）には、打球の検出（Ｖ入賞検出）に伴って特定遊技状態の継続権を成立させる特定球検出器５１（図４に符号のみを記載）が設けられており、該特定球検出器５１の上方には、一旦Ｖ入賞検出があると次に開閉板４９を開放するまでは打球が特定球検出器５１を通過しないようにするＶシャッター（図示しない）が設けられている。このＶシャッターは、ソレノイド５０（図４に符号のみを記載）によって開閉駆動が行われる。しかして、特定遊技状態となった場合には、一定時間（例えば、２８秒）が経過するまで又はその一定時間内に所定個数（例えば、１０個）の入賞球が入賞するまで開閉板２５を開放（以下、この開放を開放サイクルという）し、その開放サイクル中に受け入れられた打球が特定球検出器５１によって検出されたときに継続権が成立して、再度上記した開放サイクルが実行され、各開放サイクルにおいて継続権が成立していることを条件に最高１６回の開放サイクルを繰り返すことができるようになっている。
【００２７】
なお、本発明の特定遊技状態は、上記に限らず以下に示す▲１▼〜▲５▼の制御のうちいずれか１つの制御又は組合せた制御を実行する状態であればよい。
【００２８】
▲１▼  打球の入賞を容易にする第一の状態と、打球が入賞できない又は入賞し難い第二の状態と、に変化可能な可変入賞球装置に対して所定時間連続的又は間欠的に第一の状態にする制御
▲２▼  特定の入賞又は通過領域での打球の検出を介在させ、打球の入賞を容易にする第一の状態と、打球が入賞できない又は入賞し難い第二の状態と、に変化可能な可変入賞球装置に対して所定時間連続的又は間欠的に第一の状態にする制御
▲３▼  打球の入賞に関わらず所定数の景品球を直接排出する制御
▲４▼  有価価値を有する記憶媒体（カードやレシート等）に対して有価数を加算する制御
▲５▼  得点があることに基づいて遊技可能な弾球遊技機に対して得点を付与する制御
また、特別可変入賞球装置４８の左右両側には、それぞれ入賞球検出器５６ａ，５６ｂを内蔵する通常入賞口５４ａ，５４ｂが設けられ、該通常入賞口５４ａ，５４ｂの外側上方には、それぞれ入賞球検出器５５ａ，５５ｂを内蔵する通常入賞口５３ａ，５３ｂが設けられている。
【００２９】
上記したように、打球が入賞するすべての入賞口及び入賞装置には、入賞球を検出する入賞球検出器としての各スイッチ５２，５５ａ，５５ｂ，５６ａ，５６ｂ，６０が設けられているが、これは、これらの検出信号に基づいて所定個数の賞球を払い出すために使用されるものである。なお、入賞球を検出するが、賞球を払い出さない各スイッチ５１，６２ａ，６２ｂも設けられている。しかして、これらのスイッチ（入賞球検出器）５１，５２，５５ａ，５５ｂ，５６ａ，５６ｂ，６２ａ，６２ｂは、図４に示すように、次に説明するスイッチ中継基板９５を介して主基板１２０に接続され、主基板１２０では、これらの検出器からの検出信号により未払出数として対応した個数を加算すると共に順次払出制御基板９８に賞球個数信号を導出する。そして、払出制御基板９８は、その賞球個数信号に基づいて所定個数の賞球を払い出すように後述する球払出装置１５４を駆動制御するようになっている。なお、スイッチ（特定球検出器）５１は、継続権の成立を検出する機能を兼用しており、スイッチ（入賞球個数検出器）５２は、開閉板４９の開放を規制するための計数機能を兼用している。また、スイッチ（始動球検出器）６０は、特別可変表示装置４４の可変表示をさせるための始動機能を兼用している。
【００３０】
また、始動球検出器６０は、図４に示すように、スイッチ中継基板９５を介することなく直接主基板１２０と接続されている。（ただし、他の入賞球検出器５１，５２，５５ａ，５５ｂ，５６ａ，５６ｂ，６２ａ，６２ｂによって導出される賞球個数信号は、相対的に多い個数、例えば、１３個や１５個であるのに対し、始動球検出器６０に基づく賞球個数信号は、相対的に少ない個数、例えば、５個や７個である）これは、始動球検出器６０からの配線を直接主基板１２０に接続することにより、その途中に不正な回路基板を組み込んだ配線（ぶら下がり基板等と称されている）が接続されているか否かの発見を容易にするためである。また、始動球検出器６０と主基板１２０とを直接接続する配線は、他の配線の色と明らかに異なる色（本実施形態の場合には、ピンクと黄の蛍光色）としたので、この点からも始動球検出器６０からの配線に不正が行われているか否かを見分け易い。さらに、その始動球検出器６０と主基板１２０とを接続する配線を遊技機裏面側から見て視認できるようにしているので、より不正を発見し易い。
【００３１】
遊技盤４０には、上記したようにスイッチやソレノイド、あるいは装飾ランプや装飾ＬＥＤ等が多数設けられるが、これらは、電飾制御基板９２やあるいはスイッチ中継基板９５を介して主基板１２０に接続されるようになっている。即ち、図４に示すように、遊技盤４０に設けられる各スイッチ５１，５２，５５ａ，５５ｂ，５６ａ，５６ｂ，６２ａ，６２ｂ及び各ソレノイド５０，５９，６５は、スイッチ中継基板９５を介して主基板１２０に接続され、普通図柄可変表示装置６３及びソレノイド７１ｂ，７３ｂ，７４ｂは、盤用電飾中継基板９３を介して電飾制御基板９２に接続されている。
【００３２】
一方、遊技盤４０の裏面には、図３に示すように、遊技盤４０の裏面側の中央部分には、裏面カバー体８１が取り付けられている。裏面カバー体８１の中央には、特別可変表示装置４４が臨む開口（図示しない）が形成されており、この裏面カバー体８１に対して、特別可変表示装置４４の裏面が突出して設けられている。この特別可変表示装置４４の裏面部分の右側には、音声制御基板９４が音声制御基板ボックス１２５内に収容して取り付けられている。この音声制御基板９４は、前記スピーカ１２ａ，１２ｂを駆動制御するものであり、主基板１２０からの情報信号に応じて遊技内容に対応した効果音を発生させるものである。また、音声制御基板９４には、音量を切り替える音量切替スイッチ１２７が設けられている。また、音声制御基板９４の下方には、後述する表示制御基板９０から特別可変表示装置４４へ送信される信号を中継するための表示中継基盤９１が備えられている。
【００３３】
また、特別可変表示装置４４の裏面部分の左側には、盤用電飾中継基板９３が取り付けられている。この盤用電飾中継基板９３は、前述したように遊技盤４０に設けられる可変表示装置６３、ソレノイド７１ｂ，７３ｂ，７４ｂと電飾制御基板９２との接続を中継するものである。また、盤用電飾中継基板９３の下方には、スイッチ中継基板９５が取り付けられている。このスイッチ中継基板９５は、前述したように、遊技盤４０に設けられる各スイッチ５１，５２，５５ａ，５５ｂ，５６ａ，５６ｂ，６２ａ，６２ｂ及び各ソレノイド５０，５９，６５と主基板１２０との接続を中継するものである。また、盤用電飾中継基板９３の左側方には、裏面カバー体８１上に盤用外部端子基板９６が取り付けられている。この盤用外部端子基板９６は、弾球遊技機１の営業管理上必要な遊技情報（例えば、大当り遊技状態中である旨を報知する大当り１情報、確率変動図柄で大当り遊技状態となり、その大当り状態中及びその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別可変表示装置の可変動作回数を報知する図柄確定回数１情報、普通可変表示装置の可変動作回数を報知する図柄確定回数２情報、及び普通可変入賞球装置の開閉回数を報知する役物回数２情報等）を遊技場に設置される管理コンピュータに出力するための外部接続端子（図示しない）を有し、これらの情報が主基板１２０から与えられるようになっている。更に、どの図柄で大当りしたか、どの図柄で停止したか等の情報を出力するようにしてもよい。
【００３４】
また、裏面カバー体８１の下方には、遊技盤４０に設けられる各入賞口から入賞した入賞球を誘導する入賞球誘導路（図示しない）がその前面に形成される入賞球誘導カバー体８２が取り付けられている。入賞球カバー体８２には、表示制御基板９０及び電飾制御基板９２が表示制御基板ボックス１２４内に収容して取り付けられている。表示制御基板９０は、特別可変表示装置４４の可変表示動作を主基板１２０からの情報信号の種類に応じて駆動制御するものであり、電飾制御基板９２との情報信号のやり取りを行なうものである。また、電飾制御基板９２は、図４に示すように、遊技盤４０に設けられる装飾ＬＥＤ、普通可変表示装置６３、ソレノイド、及び透明板保持枠４に設けられる遊技効果ＬＥＤや遊技効果ランプ等を主基板１２０からの情報信号に応じて一括して駆動制御するものである。
【００３５】
以上、遊技盤４０の構成について詳細に説明してきたが、上記のように構成される遊技盤４０は、枠基体３の裏面側に形成される遊技盤収納枠部（図示しない）に収納固定されるようになっている。遊技盤収納枠部は、周知のように、ほぼ正方形状に構成される遊技盤４０を収容するように枠基体３の裏面に段差状に形成され、収容した遊技盤４０の裏面を押圧固定するための遊技盤係止レバー２００が遊技盤収納枠部の左側方に２箇所及び右側方に１箇所に取り付けられている。なお、遊技盤係止レバー２００の取付位置は、このような位置に限られるものではなく、適宜箇所に設けられるものであればよい。また、遊技盤収納枠部の下方部は、平板状の支持板となって遊技盤４０の下辺を載置するようになっており、その支持板のほぼ中央にアウト球を誘導するアウト球連通口（図示しない）が形成されている。また、遊技盤４０を遊技盤係止レバー２００によって収容固定した状態においては、その裏面から機構板１４０が被覆されることとなるが、その機構板１４０は、開閉自在に軸支され、また、機構板１４０を閉じた状態で保持することができるようになっている。なお、機構板１４０は、枠基体３に対して固定されて開閉できないものであってもよい。
【００３６】
次に、弾球遊技機１の背面に設けられる機構板１４０の構成について図３を参照して説明する。図３において、機構板１４０は、遊技球を貯留する貯留タンク１４７と該貯留タンク１４７に貯留された賞球を下流側に整列しながら誘導する球整列レール部材１４８及びカーブレール部材１５０と、カーブレール部材１５０からの遊技球を誘導する球通路１５６と、入賞に基づく賞球を払い出す球払出装置１５４と、主として遊技盤４０に打ち込まれた入賞球を含む打球を処理する処理機構と、が機構板主体１４１上に設けられる。球整列レール部材１４８の下流側上部には、外部との信号線が接続される外部接続端子を有する情報端子基板１０２が設けられる。情報端子基板１０２に設けられる外部接続端子１１８からは、外部（例えば、管理コンピュータ）へ貯留タンク１４７にて遊技球が不足している旨の球切れ情報と貸球情報と賞球情報とが出力される。
【００３７】
また、カーブレール部材１５０の下流側には、垂直状に球通路部材１５６が設けられる。具体的には、前後２列の球通路から球通路部材１５６が構成され、該２列の球通路には、それぞれ球切れスイッチ１５７（図４に符号のみ記載）が通路に臨むように設けられている。この球切れスイッチ１５７は、図４に示すように、主基板１２０に接続され、球切れスイッチ１５７が遊技球を検出しなくなったときには、球払出装置１５４の作動を停止して遊技球の払出を不能動化させるようになっている。球払出装置１５４は、ほぼ直方体形状をなすケースの内部に収納されて機構板主体１４１の前面側に着脱自在に取り付けられるようになっている。
【００３８】
また、機構板１４０の下部後面側には、電圧の異なる複数の電源を生成する電源ユニット基板９７を収容する電源基板ボックス１２２と、遊技盤４０に設けられる可変表示装置４４や特別可変入賞球装置４８等の遊技装置の動作を制御する主基板１２０を収容する主基板ボックス１２１と、前記球払出装置１５４の動作を制御する払出制御基板９８を収容する払出制御基板ボックス１２３が設けられる。電源ユニット基板（電源生成基板）９７は、電源コード１１７が接続されてＡＣ２４Ｖの電圧が供給されると共に、ＤＣ３０Ｖ、ＤＣ２１Ｖ、ＤＣ１２Ｖ、ＤＣ５Ｖ、ＡＣ２４Ｖの５種類の電圧を生成し、各制御基板に所定の電源を供給する。
【００３９】
以上、弾球遊技機１の構成、遊技盤４０の構成、及び機構板１４０の構成について説明してきたが、次に、配線接続される回路構成について、図４を参照して説明する。主基板１２０には、遊技盤４０に設けられる各スイッチ５１，５２，５５ａ，５５ｂ，５６ａ，５６ｂ，６２ａ，６２ｂからの信号がスイッチ中継基板９５を介して入力されると共に始動球検出器６０からの信号も入力され、また、満タンスイッチ１５８及び球切れスイッチ１５７からの信号が機構板中継基板１０１及び払出制御基板９８を介して入力される。更に、主基板１２０には、中継基板１１３及び払出制御基板９８を介して払出個数カウントスイッチ１１６からの信号が入力されるものである。
【００４０】
上記した入力信号のうち、遊技盤４０に設けられる各スイッチ５１，５２，６０，６２ａ，６２ｂからの入力信号に基づいて主基板１２０は、遊技盤４０に設けられるソレノイド５０，５９，６５を駆動制御すると共に、遊技状態に応じた電飾信号を表示制御基板９０を介して電飾制御基板９２に出力し、遊技状態に応じた効果音信号を表示制御基板９０及び電飾制御基板９２を介して音声制御基板９４に出力し、更に、大当り表示制御信号あるいはリーチ表示制御信号又は外れ表示制御信号を表示制御基板９０に出力し、盤用外部端子基板９６に各種の遊技情報を出力する。電飾制御基板９２は、主基板１２０から入力される信号によって、普通可変表示装置６３を表示制御し、音声制御基板９４は、主基板１２０から入力される効果音信号の種類に応じて電飾制御基板９２及び保持枠中継基板１００を介してスピーカ１２ａ，１２ｂを駆動制御する。また、表示制御基板９０は、主基板１２０から入力される表示制御信号の種類に応じて特別可変表示装置４４の表示結果を導出するように制御する。
【００４１】
また、満タンスイッチ１５８からの入力信号に基づいて主基板１２０は、払出制御基板９８に満タン信号（払出停止コマンド）を出力し、その満タン信号に基づいて払出制御基板９８は、払出モータ１１５の駆動を停止させる。また、その満タン信号に基づいて、ステッピングモータ６０１の駆動を停止する。なお、満タンスイッチ１５８からの入力信号があったときには、電飾制御基板９２に満タン信号を出力して所定のランプ又はＬＥＤを表示駆動してその旨を報知するようにしてもよい。また、満タン信号を払出制御基板９８に出力するので、例えば、該払出制御基板９８上のエラー表示器等でその旨を報知するようにしてもよい。
【００４２】
また、遊技盤４０に設けられる通過球検出器６２ａ，６２ｂを除く各スイッチ５１，５２，５５ａ，５５ｂ，６０，５６ａ，５６ｂからの入力信号に基づいて主基板１２０は、払出制御基板９８に賞球個数信号を出力し、払出制御基板９８は、その賞球個数信号の入力に基づいて払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子基板１０２に賞球個数情報（１０個で１パルス）を出力し、この信号を枠用外部端子基板１０２から外部の管理コンピュータへ出力する。更に、各スイッチ５１，５２，５５ａ，５５ｂ，６０，５６ａ，５６ｂからの入力信号に基づいて主基板１２０は、電飾制御基板９２（及び音声制御基板９４）に賞球信号を出力し、賞球ＬＥＤ１０（又はスピーカ１２ａ，１２ｂ）を表示駆動してその旨を報知する。
【００４３】
更に、球切れスイッチ１５７からの入力信号に基づいて主基板１２０は、払出モータ１１５を駆動停止させるために払出制御基板９８に球切れ信号（払出停止コマンド）を出力したり、電飾制御基板９２に賞球切れ信号を出力して球切れＬＥＤ９を所定の態様で表示駆動する。なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【００４４】
主基板１２０には、遊技動作を制御するためのスイッチ入力、賞球の払出動作を制御するためのスイッチ入力しか入力されず、主基板１２０と払出制御基板９８を除く他の制御基板９０，９２，９４との関係においては、主基板１２０から制御基板９０，９２，９４に向かって一方向の通信関係となる。このため、制御基板に不法な処理プログラムを組み込んで主基板１２０で不正な処理を施そうとしても実行することができないという利点があり、また、主基板１２０の制御の一部を他の制御基板９０，９２，９４，９８で担当しているので、主基板１２０の負担が軽減されると共に、主基板１２０の検査の容易化を図ることも可能である。
【００４５】
また、払出制御基板９８には、センサ基板１１４のモータ位置センサ及び払出個数カウントスイッチ１１６からの信号が中継基板１１３を介して入力され、残高表示基板１０４の球貸スイッチ３６及び返却スイッチ３７からの信号が入力され、カードユニット装置３１から各種の情報が入力されている。更に、前述したように、主基板１２０から賞球個数信号、満タン信号、球切れ信号が入力されるものである。上記した入力信号のうち、モータ位置センサからの入力信号に基づいて払出制御基板９８は、貸球及び賞球の払出動作において払出モータ１１５の停止位置、即ち球払出装置１５４のスプロケットの停止位置を正確に制御すると共にスプロケットが回転しているか否かを検出できる。また、払出個数カウントスイッチ１１６からの入力信号に基づいて払出制御基板９８は、貸球及び賞球の正確な払出数を払い出すように払出モータ１１５を駆動制御すると共に、枠用外部端子基板１０２に貸球数情報（１００円分の球２５個で１パルス）を出力する。なお、賞球数情報を主基板１２０から出力するようにしてもよい。
【００４６】
また、払出制御基板９８は、球貸スイッチ３６からの入力信号に基づいてカードユニット装置３１から貸球要求信号が出力されると払出モータ１１５を駆動し、また、返却スイッチ３７からの入力信号は、インターフェイス基板１０３を経由してカードユニット装置３１に伝達される。また、カードユニット装置３１からの各種の情報信号もインターフェイス基板１０３を経由して残高表示基板１０４の度数表示ＬＥＤ１０５及び球貸表示ＬＥＤ１０６に伝達される。更に、主基板１２０からの球切れ信号、賞球個数信号、満タン信号等に基づいて払出制御基板９８は、前述したように中継基板１１３を介して賞球の払出動作を実行せしめたり、発射制御基板１０７にステッピングモータ６０１の停止信号を出力したりする。なお、枠用外部端子基板１０２に接続される球切れスイッチ１０７からの入力信号は、球切れ情報として外部の管理コンピュータ等に出力される。
【００４７】
また、上記した払出制御基板９８には、接続線（図示しない）を介して補強ヒンジ部材１７６（図３参照）が接続されており、この補強ヒンジ部材１７６あるいは補強ヒンジ部材１７６と係合する枠基体３の下側のヒンジ金具（図示しない）に接続されるアース板（図示しない）から遊技球の静電気を受け、これをカードユニット装置３１から放電するようになっている。
【００４８】
次に、本実施形態の要部を構成する施錠装置１２８の構成について図５を参照して説明する。図５は、施錠装置１２８の分解図及び組み付けた状態の正面図及び側面図である。施錠装置１２８は、上記したように、枠基体３の開放側裏面に設けられており、係止部２３４ａ，２３４ｂを外枠２に備えられた係止片２４０に係止することにより、枠基体３の施錠及び枠基体３に対する透明板保持枠４の施錠を行うものである。
【００４９】
施錠装置１２８は、主として、施錠装置１２８を枠基体３に取り付けるためのベース部材２１１と、枠基体３に対して透明板保持枠４の施錠を行うための保持枠係止部材２２０と、外枠２に対して枠基体３の施錠を行うための連動部材２３０と、から構成されている。
【００５０】
ベース部材２１１は、板金を折り曲げることにより横断面がほぼコ字状に形成されるものであり、枠基体３に取り付けられる部分が当接部２１２として形成されている。当接部２１２の下部には、枠基体３の開閉時に操作をするシリンダー錠２６が取り付けられ、このシリンダー錠２６の上方及びベース部材２１１の上部には、保持枠係止部材２２０をガイドするガイド片２２７を取り付けるための取付穴２１３が穿設されている。
【００５１】
ベース部材２１１の当接部２１２とほぼ直角に折り曲げられた面の下端近傍には、連動部材２３０を下方に付勢するための縦スプリング２４１ｂ（第１の弾性部材）を取り付けるための取付片２１８が形成され、この取付片２１８の上方には、後述するカム部材２５０の凸部２５１が挿通される挿通穴２１６が穿設されている。また、挿通穴２１６の上方及びベース部材２１１の上部には、連動部材２３０に取り付けられた後述する固定ピン２３９を逃がすための逃げ溝２１５が形成されている。また、この面のほぼ中央には、保持枠係止部材２２０に形成された後述する摺動レバー２２２が挿通される挿通穴２１４が穿設されている。更に、この挿通穴２１４の下方には、保持枠係止部材２２０を上方に付勢するための係止部材スプリング２４２を取り付けるための取付片２１７が穿設されている。
【００５２】
また、ベース部材２１１のシリンダー錠２６の取付位置に対応してベース板２１１の裏面側（保持枠２２０及び連動部材２３０が取り付けられる側）には、シリンダー錠２６に連通してカム部材２５０が取り付けられている（図５（Ｃ）参照）。このカム部材２５０は、施錠装置１２８の解錠操作を行う際に回動するものであり、取付部材２５３を介して支軸２５２によってシリンダー錠２６と連結されている。カム部材２５０には、連動部材２３０の後述する開口部２３７に係合する凸部２５１が形成されている。なお、取付部材２５３は、取付ネジ２５４によってベース部材２１１に取り付けられている。
【００５３】
次に、保持枠係止部材２２０は、板金を折り曲げることにより形成されるものである。保持枠係止部材２２０の上端部及び下端部には、透明板保持枠４を枠基体３に対して施錠する際に、透明板保持枠４の裏面側に形成された係止片２６０（図５（Ｂ）参照）に係止される保持枠係止部２２１ａ，２２１ｂがベース部材２１１側に向けてそれぞれ突設されている。この下端部に形成された保持枠係止部２２１ｂの対面側に位置する面には、連動部材２３０に取り付けられた固定ピン２３９を逃がすための逃げ穴２２５が形成されている。
【００５４】
保持枠係止部材２２０のほぼ中央部分には、保持枠係止部材２２０を下方に移動させる際に操作する摺動レバー２２２が保持枠係止部２２１ａ，２２１ｂと反対方向に向けて突設されている。この摺動レバー２２２の上方には、連動部材２３０を下方に付勢するための縦スプリング２４１ｂを取り付けるための取付片２１８が形成され、摺動レバー２２２の下方には、上記した係止部材スプリング２４２を取り付けるための取付片２２４が形成されている。また、保持枠係止部材２２のベース部材２１１に当接する面であって、ベース部材２１１の取付穴２１３に対応する位置には、ガイド片２２７が挿通されるガイド穴２２６が穿設されている。
【００５５】
次に、連動部材２３０は、板金を折り曲げることにより形成される中央部材２３１の上端及び下端に、同じく板金を折り曲げることにより形成される上部部材２３２及び下部部材２３３を固定ピン２３９によりそれぞれ結合することにより構成されるものである。上部部材２３２の上部には、外枠２に取り付けられた係止片２４０に係止される係止部２３４ａが形成され、下部には、上記した縦スプリング２４１ａ（第１の弾性部材）を取り付けるための取付穴２３５が穿設されている。また、下部部材２３３の下部には、外枠２に取り付けられた係止片２４０に係止される係止部２３４ｂが形成され、この係止部２３４ｂの近傍には、上記した縦スプリング２４１ｂを取り付けるための取付穴２３６が穿設されている。この取付穴２３６の上方には、上記したカム部材２５０の凸部２５１が係合する開口部２３７が穿設されている。また、係止部２３４ｂの上方には、連動部材２３０を係止部２３４ｂの突設方向に対して垂直方向に移動させやすくするためのレバー部材２３８が、係止部２３４ｂと同方向に突設されている。上記したように、連動部材２３０は、係止片２４０に係止される複数の係止部２３４ａ，２３４ｂが一体的に形成される構成となっている。
【００５６】
しかして、上記したベース部材２１１と、保持枠係止部材２２０と、連動部材２３０と、から構成される施錠装置１２８を備えた弾球遊技機１において、枠基体３が外枠２に対して閉塞している状態では、縦スプリング２４１ａ，２４１ｂの付勢力によって連動部材２３０が下方に付勢され、係止部２３４ａ，２３４ｂが係止片２４０に係止されている。また、透明板保持枠４が枠基体３に対して閉塞している状態では、係止部材スプリング２４２の付勢力によって保持枠係止部材２２０が上方に付勢され、保持枠係止部２２１ａ，２２１ｂ係止片２６０に係止されている。
【００５７】
そして、施錠装置１２８の解錠操作を行って、枠基体３を外枠２から開放する際には、シリンダー錠２６に専用の鍵（図示しない）を挿入して回転することにより、カム部材２５０を回動させる。このとき、カム部材２５０に形成された凸部２５１が連動部材２３０の開口部２３７に係合しており、カム部材２５０が回動することにより、凸部２５１が上方に移動するため、連動部材２３０が縦スプリング２４１ａ，２４１ｂの付勢力に抗して上方に移動する。このため、連動部材２３０の係止部２３４ａ，２３４ｂも上方に移動して係止片２４０に対する係合が解除される。これにより、枠基体３を外枠２から開放することができる状態となる。このように、開口部２３７と凸部２５１が係合した状態では、連動部材２３０の摺動がカム部材２５０によって阻止される状態となるため、カム部材２５０を解錠操作により回動しなければ係止部２３４ａ，２３４ｂを係止片２４０から解除する方向に連動部材２３０を摺動させることができない構造となっている。
【００５８】
また、枠基体３を開放した後、保持枠係止部材２２０の摺動レバー２２２を下方に押し下げることにより、保持枠係止部材２２０が係止部材スプリング２４２の付勢力に抗して下方に移動する。このため、保持枠係止部２２１ａ，２２１ｂも下方に移動して係止片２６０に対する係合が解除される。これにより、透明板保持枠４を枠基体３から開放することができる状態となる。
【００５９】
また、施錠装置１２８の下方には、図５（Ｃ）に示すように、ベース部材２１１と連動部材２３０との間には、凸部２５１が開口部２３７に係合する方向に連動部材２３０を付勢する横スプリング２４４が取り付けられている。この横スプリング２４４によって、凸部２５１が開口部２３７に係合する方向に連動部材２３０は常に付勢されているが、連動部材２３０のレバー片２３８を横スプリング２４４の付勢力と反対の方向に移動させることにより、凸部２５１と開口部２３７との係合を解除することにより、連動部材２３０を摺動させることができる状態にすることができる。このように、開口部２３０と凸部２５１が係合していない状態では、連動部材２３０の摺動がカム部材２５０によって阻止される状態が解除されるため、係止部２３４ａ，２３４ｂを係止片２４０から解除する方向に連動部材２３０を摺動させることができる構造となっている。なお、連動部材２３０を係止部２３４ａ，２３４ｂの突設方向に対して垂直方向に移動させやすくするため、連動部材２３０に係止部２３４ａ，２３４ｂの突設方向に対して垂直方向にガイド片を突設してもよい。
【００６０】
以上、実施形態にかかる弾球遊技機１について詳細に説明してきたが、本実施形態においては、外枠２の一側に開閉自在に軸支される枠基体３を前記外枠２に対して施錠し且つ前記枠基体３の前面上部に開閉自在に軸支される透明板保持枠４を前記枠基体３に対して施錠する施錠装置１２８を備えた弾球遊技機１において、前記施錠装置１２８は、該施錠装置１２８の解錠操作を行う際に回動するカム部材２５０と、前記枠基体３及び透明板保持枠４を施錠する際に前記外枠２に備えられた係止片２４０に係止される複数の係止部２３４ａ，２３４ｂが一体的に形成されると共に前記カム部材２５０に形成された凸部２５１が係合する開口部２３７が形成された連動部材２３０と、前記係止部２３４ａ，２３４ｂが前記係止片２４０に係止される方向に前記連動部材２３０を付勢する縦スプリング２４１ａ，２４１ｂと、前記凸部２５１が前記開口部２３７に係合する方向に前記連動部材２３０を付勢する横スプリング２４４と、を備え、前記開口部２３７と前記凸部２５１が係合した状態では、前記連動部材２３０の摺動が前記カム部材２５０によって阻止される状態となることにより、前記カム部材２５０を前記解錠操作により回動しなければ前記係止部２３４ａ，２３４ｂを前記係止片２４０から解除する方向に前記連動部材２３０を摺動させることができず、前記開口部２３７と前記凸部２５１が係合していない状態では、前記連動部材２３０の摺動が前記カム部材２５０によって阻止される状態が解除されることにより、前記係止部２３４ａ，２３４ｂを前記係止片２４０から解除する方向に前記連動部材２３０を摺動させることができることを特徴とする。このように構成することにより、複数設けられる係止部２３４ａ，２３４ｂが一体的に形成されるため、施錠装置１２８の組み立てを容易に行うことができると共に、施錠装置１２８の製造コストの低減を図ることができる。また、カム部材２５０の凸部２５１が連動部材２３０の開口部２３７に係合された状態では、カム部材２５０が回動しない限り連動部材２３０が摺動できず、係止部２３４ａ，２３４ｂが係止片２４０から外すことができないため、施錠装置１２８に対する不正行為を防止することができる。更に、カム部材２５０の凸部２５１が連動部材２３０の開口部２３７に係合されていない状態では、施錠装置１２８の鍵がなくても解錠操作を行うことができる。
【００６１】
また、本実施形態においては、前記連動部材２３０には、該連動部材２３０を前記係止部２３４ａ，２３４ｂの突設方向に対して垂直方向に移動させやすくするためのレバー片が、前記係止部２３４ａ，２３４ｂの突設方向と同方向に突設されていることを特徴とする。このように構成することにより、連動部材２３０の開口部２３７とカム部材２５０の凸部２５１との係合やその解除を容易に行うことができる。
【００６２】
更に、本実施形態においては、前記連動部材２３０には、該連動部材２３０を前記係止部２３４ａ，２３４ｂの突設方向に対して垂直方向に移動させやすくするためのガイド片が、前記係止部２３４ａ，２３４ｂの突設方向に対して垂直方向に突設されていることを特徴とする。このように構成することにより、連動部材２３０の開口部２３７とカム部材２５０の凸部２５１との係合やその解除を容易に行うことができる。
【００６３】
【発明の効果】
以上、説明したところから明らかなように、請求項１の発明においては、複数設けられる係止部が一体的に形成されるため、施錠装置の組み立てを容易に行うことができると共に、施錠装置の製造コストの低減を図ることができる。また、カム部材の凸部が連動部材の開口部に係合された状態では、カム部材が回動しない限り連動部材が摺動できず、係止部が係止片から外すことができないため、施錠装置に対する不正行為を防止することができる。更に、カム部材の凸部が連動部材の開口部に係合されていない状態では、施錠装置の鍵がなくても解錠操作を行うことができる。
【００６４】
また、請求項２の発明においては、連動部材の開口部とカム部材の凸部との係合やその解除を容易に行うことができる。
【００６５】
また、請求項３の発明においては、連動部材の開口部とカム部材の凸部との係合やその解除を容易に行うことができる。
【図面の簡単な説明】
【図１】本発明の一実施形態における弾球遊技機を示す正面図である。
【図２】弾球遊技機の裏面を示す背面図である。
【図３】遊技盤を示す正面図である。
【図４】遊技制御基板の回路構成を示すブロック図である。
【図５】施錠装置の分解図及び組み付けた状態の正面図及び側面図である。
【符号の説明】
１  弾球遊技機（遊技機）
２  外枠
３  枠基体
４  透明板保持枠
１２８  施錠装置
２３０  連動部材
２３４ａ，２３４ｂ  係止部
２３７  開口部
２４０  係止片
２４１ａ，２４１ｂ  縦スプリング
２４４  横スプリング
２５０  カム部材
２５１  凸部
【図１】
2004267590.tif 000003
【図２】
2004267590.tif 000004
【図３】
2004267590.tif 000005
【図４】
2004267590.tif 000006
【図５】
2004267590.tif 000007